(57)【要約】  １ブロックに第１データおよび第１データより重要度が高い第２データの双方を配置する場合に、第２データのＢＥＲ特性を良好に維持することができる無線送信装置。この装置において、変調部（１０１−１）は、第１データ系列を変調して第１データシンボルを生成し、変調部（１０１−２）は、第２データ系列を変調して第２データシンボルを生成する。配置部（１０２）は、シングルキャリア信号を構成する各ブロックに第１データシンボルおよび第２データシンボルの双方を配置する。この際、配置部（１０２）は、１ブロック内において、第１データをブロックの両端部分に配置し、第１データより重要度が高い第２データをブロックの中央部分に配置する。ＣＰ付加部（１０３）は、第１データシンボルおよび第２データシンボルが配置されたブロックの先頭にそのブロックの後端部分をＣＰとして付加する。【特許請求の範囲】
【請求項１】
１ブロックに第１データおよび第１データより重要度が高い第２データを配置する配置手段と、
第１データおよび第２データが配置されたブロックの先頭にそのブロックの後端部分をサイクリック・プリフィクスとして付加する付加手段と、
サイクリック・プリフィクス付加後のブロックを送信する送信手段と、を具備し、
前記配置手段は、１ブロック内において、第２データをブロックの中央部分に配置する、
無線送信装置。
【請求項２】
第１データはデータチャネルのデータであり、第２データは制御チャネルのデータである、
請求項１記載の無線送信装置。
【請求項３】
第１データはパリティビットからなるデータであり、第２データはシステマチックビットからなるデータである、
請求項１記載の無線送信装置。
【請求項４】
第２データを複製して互いに同一の第２データを生成する複製手段、をさらに具備し、
前記配置手段は、互いに同一の第２データのうち、一方の第２データをブロックの中央部分に配置するとともに、他方の第２データをそのブロックの後端部分に配置する、
請求項１記載の無線送信装置。
【請求項５】
前記配置手段は、一方の第２データをブロックの中央部分に配置する際に、その第２データの後端をブロック長の２分の１の箇所に揃えて配置する、
請求項４記載の無線送信装置。
【請求項６】
第２データを複製して互いに同一の第２データを生成する複製手段、をさらに具備し、
前記配置手段は、互いに同一のそれぞれの第２データを互いに隣接しないそれぞれのブロックの中央部分に配置する、
請求項１記載の無線送信装置。
【請求項７】
請求項４記載の無線送信装置から送信されたブロックに対して周波数領域等化を行う無線受信装置であって、
ブロックの中央部分に配置された一方の第２データに対しては、ブロック長を周波数領域等化範囲とした第１の周波数領域等化を行うとともに、
そのブロックの後端部分に配置された他方の第２データに対しては、前記一方の第２データ直後の第１データの先端からそのブロックの後端までの区間、または、ブロック長の２分の１の区間を周波数領域等化範囲とした第２の周波数領域等化を行う等化手段と、
周波数領域等化後の互いに同一の第２データを合成する合成手段と、
を具備する無線受信装置。
【請求項８】
無線送信装置におけるデータ配置方法であって、
１ブロックに第１データおよび第１データより重要度が高い第２データを配置する際に、１ブロック内において、第２データをブロックの中央部分に配置する、
データ配置方法。
【発明の詳細な説明】
【技術分野】
【０００１】
本発明は、無線送信装置、無線受信装置およびデータ配置方法に関する。
【背景技術】
【０００２】
次世代の移動通信システムへ向けて１００Mbpsを超えるデータレートを実現すべく、高速パケット伝送に適した無線伝送方式について様々な検討が行われている。このような高速伝送のためには使用周波数帯域の広帯域化が必要であり、１００MHz程度の帯域幅を用いることが検討されている。【０００３】
このような広帯域伝送を移動体通信で行うと、通信チャネルは遅延時間が互いに異なる複数のパスからなる周波数選択性チャネルになることが知られている。よって、移動通信における広帯域伝送では、先行するシンボルが後続のシンボルに対して干渉する符号間干渉（ＩＳＩ：InterSymbolInterference）が発生してビット誤り率（ＢＥＲ：Bit Error Rate）特性が劣化する。また、周波数選択性チャネルは、周波数帯域内でチャネル伝達関数が変動するチャネルであるため、このようなチャネルを伝搬して受信された信号のスペクトルは歪んでしまう。【０００４】
ＩＳＩの影響を除去してＢＥＲ特性を改善するための技術として、等化技術がある。中でも、時間領域等化技術として最尤系列推定（ＭＬＳＥ：Maximum Likelihood Sequence Estimation）が知られている。しかし、ＭＬＳＥでは、パス数の増加に伴い等化器の構成が非常に複雑となり、等化に要する計算量も指数関数的に増大してしまう。そこで、最近、等化器の構成がパス数に依存しない等化技術として、周波数領域等化（ＦＤＥ：Frequency Domain Equalization）が注目されている（例えば、非特許文献１参照）。【０００５】
ＦＤＥでは、受信信号ブロックを高速フーリエ変換（ＦＦＴ：Fast Fourier Transform）によって直交周波数成分に分解し、各周波数成分に対しチャネル伝達関数の逆数に近似した等化重みを乗算した後、逆高速フーリエ変換（ＩＦＦＴ：Inverse Fast Fourier Transform）によって時間領域信号に変換する。このＦＤＥにより、受信信号のスペクトルの歪みを補償することができ、その結果、ＩＳＩが低減されてＢＥＲ特性が改善される。また、等化重みとしては、等化後の周波数成分と送信信号成分との平均二乗誤差を最小とする最小平均二乗誤差（ＭＭＳＥ：Minimum Mean Square Error）重みが、最も優れたＢＥＲ特性を与える。【０００６】
上記非特許文献１記載の技術では、受信信号がＦＦＴブロック長の繰り返し信号として扱える必要があるため、送信側ではシンボルブロックの後尾部分と同じ信号をシンボルブロックの先頭に付加してサイクリック・プリフィクス（ＣＰ：Cyclic Prefix）を設ける。また、ＣＰを設けることにより、遅延波の遅延時間がＣＰの時間長（以下「ＣＰ長」という）以内に収まる限り、ＩＳＩを防止することができる。なお、ＣＰはガードインターバル（ＧＩ：Guard Interval）と称されることもある。
【非特許文献１】D. Falconer, S. L. Ariyavistakul, A. Benyamin-Seeyar, and B. Eidson, “Frequency domain equalization for single-carrier broadband wireless systems”, IEEE Commun. Mag., vol. 40, pp.58-66, Apr. 2002.
【発明の開示】
【発明が解決しようとする課題】
【０００７】
しかしながら、遅延時間がＣＰ長を超える遅延波があるとやはりＩＳＩが発生し、ＦＤＥによりＢＥＲ特性が改善されるとはいっても、そのような遅延波がない場合に比べ、やはりＢＥＲ特性は劣化する。特に制御チャネルのＢＥＲ特性が劣化すると、その制御チャネルの情報を用いて受信処理が行われるデータチャネルのＢＥＲ特性も同時に劣化してしまうため、データチャネル以上に制御チャネルでのＩＳＩ防止対策が重要となる。【０００８】
本発明の目的は、かかる点に鑑みてなされたものであり、制御チャネルデータ等の重要なデータのＢＥＲ特性を良好に維持することができる無線送信装置、無線受信装置およびデータ配置方法を提供することである。
【課題を解決するための手段】
【０００９】
本発明の無線送信装置は、１ブロックに第１データおよび第１データより重要度が高い第２データを配置する配置手段と、第１データおよび第２データが配置されたブロックの先頭にそのブロックの後端部分をＣＰとして付加する付加手段と、ＣＰ付加後のブロックを送信する送信手段と、を具備し、前記配置手段は、１ブロック内において、第２データをブロックの中央部分に配置する構成を採る。
【発明の効果】
【００１０】
本発明によれば、１ブロックに第１データおよび第１データより重要度が高い第２データの双方を配置する場合に、第２データのＢＥＲ特性を良好に維持することができる。
【図面の簡単な説明】
【００１１】
【図１】本発明の実施の形態１に係る無線送信装置のブロック構成図
【図２】本発明の実施の形態１に係る無線受信装置のブロック構成図
【図３】本発明の実施の形態１に係る計算機シミュレーション結果
【図４】本発明の実施の形態１に係るデータ配置例
【図５】本発明の実施の形態１に係るＦＤＥ例
【図６】本発明の実施の形態２に係る無線送信装置のブロック構成図
【図７】本発明の実施の形態２に係る無線受信装置のブロック構成図
【図８】本発明の実施の形態２に係るデータ配置例
【図９】本発明の実施の形態２に係るＦＤＥ例
【図１０】本発明の実施の形態３に係るデータ配置例１
【図１１】本発明の実施の形態３に係るＦＤＥ例１
【図１２】本発明の実施の形態３に係るデータ配置例２
【図１３】本発明の実施の形態３に係るＦＤＥ例２
【図１４】本発明の実施の形態４に係るデータ配置例
【図１５】本発明の実施の形態４に係るＦＤＥ例
【図１６】本発明の実施の形態５に係るデータ配置例
【図１７】本発明の実施の形態５に係るＦＤＥ例
【発明を実施するための最良の形態】
【００１２】
以下、本発明の実施の形態について、添付図面を参照して詳細に説明する。【００１３】
（実施の形態１）
本実施の形態では、無線送信装置はＣＰを付加したシングルキャリア信号を無線受信装置へ送信し、無線受信装置はそのシングルキャリア信号に対してＦＤＥを行う。また、無線送信装置は、１ブロックに第１データおよび第１データより重要度が高い第２データの双方を配置して送信する。例えば、第１データはデータチャネルのデータであり、第２データは制御チャネルのデータである。以下、本実施の形態に係る無線送信装置および無線受信装置の構成について説明する。図１に本実施の形態に係る無線送信装置１００の構成を示し、図２に本実施の形態に係る無線受信装置２００の構成を示す。【００１４】
図１に示す無線送信装置１００において、変調部１０１−１は、第１データ系列を変調して第１データシンボルを生成し、変調部１０１−２は、第２データ系列を変調して第２データシンボルを生成する。【００１５】
配置部１０２は、シングルキャリア信号を構成する各ブロックに第１データシンボルおよび第２データシンボルの双方を配置する。例えば、３ＧＰＰ  ＴＲ２５.８１４記載の１０MHz帯域でのサブフレームフォーマットによれば、各ブロックのブロック長は６００シンボル長（１ブロック＝６００シンボル）である。なお、配置部１０２での配置処理の詳細は後述する。【００１６】
ＣＰ付加部１０３は、第１データシンボルおよび第２データシンボルが配置されたブロックの先頭にそのブロックの後端部分をＣＰとして付加する。【００１７】
無線送信部１０４は、ＣＰ付加後の各ブロックに対しＤ／Ａ変換、増幅およびアップコンバート等の無線送信処理を行ってアンテナ１０５から無線受信装置２００（図２）へ送信する。つまり、無線送信部１０４は、ＣＰを付加したシングルキャリア信号を無線受信装置２００へ送信する。【００１８】
一方、図２に示す無線受信装置２００において、無線受信部２０２は、アンテナ２０１を介してシングルキャリア信号を受信し、このシングルキャリア信号に対してダウンコンバート、Ａ／Ｄ変換等の無線受信処理を施す。受信されるシングルキャリア信号は複数のブロックからなる。【００１９】
ＣＰ除去部２０３は、無線受信処理後の各ブロックからＣＰを除去する。【００２０】
ＦＦＴ部２０４は、各ブロックに対してＦＦＴを行って複数の周波数成分を得る。より詳しくは、ＦＦＴ部２０４は、各ブロックをＮポイントＦＦＴによりＮ個の直交周波数成分に分解する。これらの複数の周波数成分は、ＦＤＥ部２０５に並列に出力される。【００２１】
ＦＤＥ部２０５は、各周波数成分にＭＭＳＥ等化重みを乗算して各周波数成分に対してＦＤＥを行う。ＦＤＥ後の各周波数成分は、ＩＦＦＴ部２０６に並列に出力される。ＦＤＥ部２０５でのＦＤＥ処理の詳細は後述する。なお、ＭＭＳＥ等化重みとしては、例えば、「武田他，“周波数選択性フェージングチャネルにおける空間・周波数領域処理を用いるDS-CDMAの伝送特性”，電子情報通信学会技術研究報告，RCS2003-33，pp.21-25，2003-05」に記載されているものを用いる。【００２２】
ＩＦＦＴ部２０６は、ＦＤＥ後の各周波数成分に対してＩＦＦＴを行ってＦＤＥ後の信号系列を得る。より詳しくは、ＩＦＦＴ部２０６は、ＮポイントＩＦＦＴにより、ＦＤＥ後の各周波数成分をＮシンボルの信号系列に変換する。Ｎシンボルの信号系列からなるブロックは、分離部２０７に出力される。【００２３】
分離部２０７は、ＦＤＥ後の各ブロックを、第１データシンボルと第２データシンボルとに分離する。第１データシンボルは復調部２０８−１に入力され、第２データシンボルは復調部２０８−２に入力される。【００２４】
復調部２０８−１は、第１データシンボルを復調して第１データ系列を得る。また、  復調部２０８−２は、第２データシンボルを復調して第２データ系列を得る。【００２５】
次いで、無線送信装置１００の配置部１０２での配置処理の詳細について説明する。【００２６】
本発明者らが行った計算機シミュレーションによれば、シングルキャリア伝送において遅延時間がＣＰ長を超える遅延波がある場合、１ブロック内におけるＦＤＥ後のＳＩＮＲ特性は図３に示すようになる。このシミュレーション結果より、シングルキャリア伝送において遅延時間がＣＰ長を超える遅延波がある場合、１ブロック内において各シンボルのＳＩＮＲは相違し、ブロックの両端部分にあるシンボルではＩＳＩによるＳＩＮＲの劣化が大きく、ブロックの中央部分にあるシンボルではＩＳＩによるＳＩＮＲの劣化が小さいことが分かる。これは、ＯＦＤＭ（Orthogonal Frequency Division Multiplexing）等のマルチキャリア伝送では、複数のシンボルが周波数軸方向に配置されるため、ＦＤＥ後の各シンボルはＩＳＩの影響をランダムに受けるのに対し、本実施の形態のようなシングルキャリア伝送では、複数のシンボルが時間軸方向に配置されるため、ブロックの両端部分と中央部分とでＩＳＩの影響の大きさが異なることによるものである。【００２７】
そこで、本実施の形態では、配置部１０２は、１ブロック内において、第１データをブロックの両端部分に配置し、第１データより重要度が高い第２データをブロックの中央部分に配置する。換言すれば、配置部１０２は、１ブロック内において、受信品質が一定に保たれる部分に第２データを配置し、その一定部分より受信品質が徐々に低下する部分に第１データを配置する。これにより、シングルキャリア伝送において遅延時間がＣＰ長を超える遅延波がある場合でも、第２データに対するＩＳＩの影響を小さくすることができ、第２データの受信品質の劣化を抑えて第２データのＢＥＲ特性を良好に維持することができる。【００２８】
ここで、ＰＡ，ＰＢ，ＶＡ，ＴＵの各パスモデルにおいては、「遅延波の最大遅延時間−ＣＰ長」分のシンボル長がそれぞれ両端部分に相当し、１ブロック長の両端からそれぞれ「遅延波の最大遅延時間−ＣＰ長」分のシンボル長を除いた部分が中央部分に相当する。例えば、上記３ＧＰＰ  ＴＲ２５.８１４記載の１０MHz帯域でのサブフレームフォーマットにおいてＴＵモデルを想定した場合は、図３に示すように、１ブロック＝６００シンボルのうち、両端部分の各１３シンボルが「遅延波の最大遅延時間−ＣＰ長」分のシンボルに相当し、残りの５７４シンボル長が中央部分に相当する。【００２９】
なお、上記中央部分でも両端部分に近い箇所では、ＩＳＩの影響をわずかに受けることがある。よって、配置部１０２は、第２データを、１ブロック内において、ブロックの真ん中（図３では、両端から各々３００シンボルの箇所）から両端に向かって順に配置していくのが好ましい。【００３０】
以下、第１データとしてＳＤＣＨ（Shared Data CHannel）データを、第２データとしてＳＣＣＨ（Shared Control CHannel）データを一例に挙げて説明する。【００３１】
ＳＣＣＨデータは、ＳＤＣＨ復調用の制御情報であるため、ＳＤＣＨデータよりも高品質が要求される、より重要なデータである。【００３２】
そこで、無線送信装置１００の配置部１０２は、図４に示すように、１ブロック内において、ＳＣＣＨデータを中央部分に配置するとともに、ＳＤＣＨデータを両端部分に配置する。なお、後方のＳＤＣＨデータの後端の一部がＣＰとしてブロックの先頭に付加される。【００３３】
これに対し、無線受信装置２００のＦＤＥ部２０５は、図５に示すように、ブロックの中央部分に配置されたＳＣＣＨデータに対し、１ブロック長をＦＤＥ範囲としたＦＤＥを行う。【００３４】
このように、本実施の形態によれば、１ブロック内において、第１データをブロックの両端部分に配置し、第１データより重要度が高い第２データをブロックの中央部分に配置するため、シングルキャリア伝送において遅延時間がＣＰ長を超える遅延波がある場合でも、第２データのＢＥＲ特性を良好に維持することができる。【００３５】
（実施の形態２）
本実施の形態は、レピティション技術を用い、レピティションにより生成した互いに同一の第２データのうち、一方をブロックの中央部分に配置するとともに、他方をそのブロックの後端部分に配置する。【００３６】
ここで、レピティション技術とは、あるシンボルを複製（レピティション）して複数の同一シンボルを生成し、それら複数の同一シンボルを互いに異なる時刻に割り当てて送信する技術であり、受信側では、それらの同一シンボルを合成することで時間ダイバーシチゲインを得ることができる。【００３７】
図６に本実施の形態に係る無線送信装置３００の構成を示し、図７に本実施の形態に係る無線受信装置４００の構成を示す。図６，図７において、実施の形態１（図１，図２）と同一の構成部分には同一符号を付し、説明を省略する。【００３８】
図６に示す無線送信装置３００において、レピティション部３０１は、変調部１０１−２から入力される第２データシンボルを複製（レピティション）して互いに同一の複数の第２データシンボルを生成し、配置部１０２に出力する。なお、この複数の同一データシンボルを一単位としてレピティション単位という。【００３９】
一方、図７に示す無線受信装置４００において、合成部４０１は、分離部２０７から入力される第２データシンボルをレピティション単位で合成して復調部２０８−２に出力する。【００４０】
以下、上記同様、第１データとしてＳＤＣＨデータを、第２データとしてＳＣＣＨデータを一例に挙げて、本実施の形態に係る配置部１０２、ＦＤＥ部２０５および合成部４０１にて行われる処理について説明する。なお、本実施の形態では、レピティション数をＲＦ（Repetition Factor）＝２として説明する。つまり、互いに同一の２つのＳＣＣＨデータを１ブロックに配置する場合について説明する。【００４１】
無線送信装置３００の配置部１０２は、図８に示すように、１ブロック内において、一方のＳＣＣＨデータを中央部分に配置するとともに、他方のＳＣＣＨデータを後端部分に配置する。また、配置部１０２は、残りの部分にＳＤＣＨデータを配置する。なお、ブロック後端に配置されたＳＣＣＨデータの後端の一部がＣＰとしてブロックの先頭に付加される。【００４２】
これに対し、無線受信装置４００のＦＤＥ部２０５は、図９に示すように、ブロックの中央部分に配置された一方のＳＣＣＨデータに対しては、１ブロック長をＦＤＥ範囲としたＦＤＥを行う。一方、ブロックの後端部分に配置された他方のＳＣＣＨデータに対しては、ＦＤＥ部２０５は、ブロックの中央部分に配置された一方のＳＣＣＨデータをＣＰと見なし、図９に示すように、その一方のＳＣＣＨデータ直後のＳＤＣＨデータの先端からブロックの後端までの区間をＦＤＥ範囲としたＦＤＥを行う。つまり、ＦＤＥ部２０５は、ブロックの後端部分に配置されたＳＣＣＨデータに対しては、ブロックの中央部分に配置されたＳＣＣＨデータよりもＦＤＥ範囲を小さくしたＦＤＥを行う。そして、合成部４０１は、ＦＤＥ後の互いに同一の２つのＳＣＣＨデータを合成して、ＳＣＣＨデータの受信品質を高める。なお、ＣＰ部分はＳＣＣＨデータの一部であるため、合成部４０１は、２つのＳＣＣＨデータに、さらにＣＰ部分を合成してもよい。このように、ＣＰ部分を合成することで、さらにＳＣＣＨデータの受信品質を高めることができる。【００４３】
このように、本実施の形態によれば、ブロックの中央部分に配置された第２データに対するＩＳＩの影響を小さくすることができ、さらに、ＦＤＥ後の互いに同一の第２データを合成することで第２データの受信品質を高めることができる。また、ブロックの後端部分に配置された第２データに対しては、ブロックの中央部分に配置された同一の第２データをＣＰと見なしてＦＤＥ範囲を小さくしたＦＤＥを行うことができるため、その第２データに対する時間フェージングの影響を小さくすることができる。【００４４】
（実施の形態３）
本実施の形態は、一方の第２データをブロックの中央部分に配置する際に、その第２データの後端を１ブロック長の２分の１の箇所に揃えて配置する点において実施の形態２と相違する。【００４５】
以下、実施の形態２同様、第１データとしてＳＤＣＨデータを、第２データとしてＳＣＣＨデータを一例に挙げて説明する。また、実施の形態２同様、ＲＦ＝２として説明する。【００４６】
無線送信装置３００の配置部１０２は、図１０に示すように、１ブロック内において、一方のＳＣＣＨデータを中央部分に配置する際に、そのＳＣＣＨデータの後端を１ブロック長（Ｔ）の２分の１（Ｔ／２）の箇所に揃えて配置する。その他は、実施の形態２と同様である。【００４７】
これに対し、無線受信装置４００のＦＤＥ部２０５は、図１１に示すように、ブロックの中央部分に配置された一方のＳＣＣＨデータに対しては、１ブロック長（Ｔ）をＦＤＥ範囲としたＦＤＥを行う点では実施の形態３と同様だが、ブロックの後端部分に配置された他方のＳＣＣＨデータに対しては、１ブロック長（Ｔ）の２分の１の区間（Ｔ／２区間）をＦＤＥ範囲としたＦＤＥを行う点において実施の形態３と異なる。その他は、実施の形態２と同様である。【００４８】
このように、本実施の形態によれば、ＦＤＥ範囲を１ブロック長ＴおよびＴ／２区間とすることで、ＦＤＥ範囲を２のべき乗のサイズに揃えることができるため、ブロック後端に配置された第２データに対してもＦＦＴおよびＩＦＦＴを行うことが可能となる。よって、ブロック後端に配置された第２データに対するＦＤＥ処理をより高速に行うことができる。【００４９】
なお、上記の例では、ＲＦ＝２としたが、ＲＦは３以上であってもよい。特に、ＦＤＥ範囲を２のべき乗のサイズに揃えるために、ＲＦも２のべき乗とすることが好ましい。【００５０】
例えば、ＲＦ＝４とした場合は、配置部１０２は、図１２に示すように、１ブロック内において、図１０に示す配置に加え、さらに、ＳＣＣＨデータの後端を１ブロック長（Ｔ）の４分の１（Ｔ／４）および４分の３（３Ｔ／４）の箇所に揃えて各ＳＣＣＨデータを配置する。【００５１】
これに対し、ＦＤＥ部２０５は、図１３に示すように、まず、１番目と３番目のＳＣＣＨデータに対して、１ブロック長（Ｔ）の２分の１の区間（Ｔ／２区間）をＦＤＥ範囲としたＦＤＥを行い、次に、２番目と４番目のＳＣＣＨデータに対して、１ブロック長（Ｔ）の４分の１の区間（Ｔ／４区間）をＦＤＥ範囲としたＦＤＥを行う。【００５２】
このように、ＲＦを大きくすることで、合成されるＳＣＣＨデータの数も増えるため、ＳＣＣＨデータの受信品質をさらに高めることができる。【００５３】
（実施の形態４）
本実施の形態は、レピティションにより互いに同一の第２データを生成する点において実施の形態２と同様であり、実施の形態１のような配置で第２データを配置するブロックを複数ブロック毎に生成する点において実施の形態２と相違する。【００５４】
以下、実施の形態２同様、第１データとしてＳＤＣＨデータを、第２データとしてＳＣＣＨデータを一例に挙げて説明する。また、実施の形態２同様、ＲＦ＝２として説明する。【００５５】
無線送信装置３００の配置部１０２は、図１４に示すように、ブロック＃１〜＃４のうち、ブロック＃１，＃３に対して実施の形態１のような配置で互いに同一のＳＣＣＨデータを配置し、ブロック＃２，＃４にはＳＣＣＨデータを配置しない。つまり、配置部１０２は、互いに同一のそれぞれのＳＣＣＨデータを、互いに隣接しないそれぞれのブロック＃１，＃３の中央部分に配置する。これにより、ブロックの中央部分にＳＣＣＨデータが配置されたブロックが２ブロック毎に生成され、送信される。【００５６】
これに対し、無線受信装置４００のＦＤＥ部２０５は、図１５に示すように、ブロック＃１，＃３の中央部分に配置されたＳＣＣＨデータに対してそれぞれ、１ブロック長をＦＤＥ範囲としたＦＤＥを行う。そして、合成部４０１は、ＦＤＥ後の互いに同一の２つのＳＣＣＨデータを合成して、ＳＣＣＨデータの受信品質を高める。【００５７】
このように、本実施の形態によれば、互いに同一の第２データが時間的に離れたブロックに配置されるため、それらの第２データを合成することにより時間ダイバーシチゲインを得て、第２データの受信品質を高めることができる。【００５８】
（実施の形態５）
本実施の形態は、レピティションにより互いに同一の第２データを生成する点において実施の形態２と同様であり、連続するそれぞれのブロックの後端部分に第２データを配置し、それら連続するブロックを１単位としてＦＤＥを行う点において実施の形態２と相違する。【００５９】
以下、実施の形態２同様、第１データとしてＳＤＣＨデータを、第２データとしてＳＣＣＨデータを一例に挙げて説明する。また、実施の形態２同様、ＲＦ＝２として説明する。【００６０】
無線送信装置３００の配置部１０２は、図１６に示すように、ブロック＃１〜＃４のうち、連続するブロック＃１，＃２それぞれの後端部分に互いに同一のＳＣＣＨデータを配置する。【００６１】
ここで、ブロック＃１に配置されたＳＣＣＨデータはブロック＃２に配置されたＳＣＣＨデータのＣＰと見なすことができるため、ブロック＃２にさらにＣＰを付加する必要がない。そこで、本実施の形態では、ブロック＃２にはＣＰを付加しない。このようにしてＣＰの数を減らすことで、その減らした分だけ別のデータを送信して伝送効率を高めることや、伝送効率を保ったまま、その減らした分だけ別のＣＰの時間長を長くして遅延波に対する耐性を高めることが可能である。そこで、本実施の形態では、ブロック＃２の後端に配置されたＳＣＣＨデータの後端の一部をブロック＃１の先頭にＣＰとして付加する。さらに、本実施の形態では、１ブロック単位で付加するＣＰの２倍の時間長のＣＰをブロック＃１の先頭に付加する。【００６２】
これに対し、無線受信装置４００のＦＤＥ部２０５は、図１７に示すように、ブロック＃１の後端部分に配置されたＳＣＣＨデータに対しては、ブロック＃１，＃２を１単位としてＦＤＥを行う。つまり、ＦＤＥ部２０５は、ブロック＃１の後端部分に配置されたＳＣＣＨデータに対しては、１ブロック長の２倍の長さ（２ブロック長）をＦＤＥ範囲としたＦＤＥを行う。また、ＦＤＥ部２０５は、ブロック＃２の後端部分に配置されたＳＣＣＨデータに対しては、１ブロック長をＦＤＥ範囲としたＦＤＥを行う。そして、合成部４０１は、ＦＤＥ後の互いに同一の２つのＳＣＣＨデータを合成して、ＳＣＣＨデータの受信品質を高める。【００６３】
このように、本実施の形態によれば、伝送効率を保ったままＣＰ長をより長くすることができるため、伝送効率を低下させずに遅延波に対する耐性を高めることができる。【００６４】
以上、本発明の実施の形態について説明した。【００６５】
なお、Ｔｕｒｂｏ符号やＬＤＰＣ符号等の組織符号を用いた誤り訂正符号化が行われる場合は、送信ビットそのものであるシステマチックビットと、冗長ビットであるパリティビットとが生成される。システマチックビットに誤りが発生すると著しくＢＥＲ特性が劣化するが、パリティビットのうちいくつかに誤りが発生しても所要のＢＥＲ特性を維持することができる。つまり、システマチックビットは、パリティビットよりも重要度が高いビットと言える。そこで、上記各実施の形態においては、パリティビットからなるデータを第１データとし、システマチックビットからなるデータを第２データとしてもよい。【００６６】
また、チャネル推定、パスサーチ等に利用されるパイロットの受信品質が低下すると、チャネル推定精度、パスサーチ精度が劣化し、その劣化に伴ってその他のデータすべての復調精度が劣化してしまう。つまり、パイロットは、その他のデータよりも重要度が高いと言える。そこで、上記各実施の形態においては、パイロットを第１データとし、パイロット以外のデータを第２データとしてもよい。【００６７】
また、本発明はＭＭＳＥ−ＦＤＥに限らず、ＺＦ−ＦＤＥ等、他のＦＤＥに対しても同様に適用することができる。【００６８】
また、上記各実施の形態に係る無線送信装置や無線受信装置を、移動体通信システムにおいて使用される無線通信移動局装置や無線通信基地局装置に備え、無線通信移動局装置や無線通信基地局装置が、１ブロック内において、第１データより重要度が高い第２データをブロックの中央部分に配置して送信することもできる。また、無線通信移動局装置はUE、無線通信基地局装置はNode Bと表されることがある。【００６９】
また、上記各実施の形態では、本発明をハードウェアで構成する場合を例にとって説明したが、本発明はソフトウェアで実現することも可能である。【００７０】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。【００７１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。【００７２】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。【００７３】
本明細書は、２００５年９月１６日出願の特願２００５−２７０４２３に基づくものである。この内容はすべてここに含めておく。
【産業上の利用可能性】
【００７４】
本発明は、移動体通信システム等に適用することができる。
【図１】
2007032492.tif 000002
【図２】
2007032492.tif 000003
【図３】
2007032492.tif 000004
【図４】
2007032492.tif 000005
【図５】
2007032492.tif 000006
【図６】
2007032492.tif 000007
【図７】
2007032492.tif 000008
【図８】
2007032492.tif 000009
【図９】
2007032492.tif 000010
【図１０】
2007032492.tif 000011
【図１１】
2007032492.tif 000012
【図１２】
2007032492.tif 000013
【図１３】
2007032492.tif 000014
【図１４】
2007032492.tif 000015
【図１５】
2007032492.tif 000016
【図１６】
2007032492.tif 000017
【図１７】
2007032492.tif 000018
【手続補正書】
【提出日】平成20年4月15日(2008.4.15)
【手続補正１】
【補正対象書類名】特許請求の範囲
【補正対象項目名】全文
【補正方法】変更
【補正の内容】
【特許請求の範囲】
【請求項１】
１ブロックに第１データおよび第１データより重要度が高い第２データを配置する配置手段と、
第１データおよび第２データが配置されたブロックの先頭にそのブロックの後端部分をサイクリック・プリフィクスとして付加する付加手段と、
サイクリック・プリフィクス付加後のブロックを送信する送信手段と、を具備し、
前記配置手段は、１ブロック内において、第２データをブロックの中央部分に配置する、
無線送信装置。
【請求項２】
第１データはデータチャネルのデータであり、第２データは制御チャネルのデータである、
請求項１記載の無線送信装置。
【請求項３】
第１データはパリティビットからなるデータであり、第２データはシステマチックビットからなるデータである、
請求項１記載の無線送信装置。
【請求項４】
第２データを複製して互いに同一の第２データを生成する複製手段、をさらに具備し、
前記配置手段は、互いに同一の第２データのうち、一方の第２データをブロックの中央部分に配置するとともに、他方の第２データをそのブロックの後端部分に配置する、
請求項１記載の無線送信装置。
【請求項５】
前記配置手段は、一方の第２データをブロックの中央部分に配置する際に、その第２データの後端をブロック長の２分の１の箇所に揃えて配置する、
請求項４記載の無線送信装置。
【請求項６】
第２データを複製して互いに同一の第２データを生成する複製手段、をさらに具備し、
前記配置手段は、互いに同一のそれぞれの第２データを互いに隣接しないそれぞれのブロックの中央部分に配置する、
請求項１記載の無線送信装置。
【請求項７】
請求項４記載の無線送信装置から送信されたブロックに対して周波数領域等化を行う無線受信装置であって、
ブロックの中央部分に配置された一方の第２データに対しては、ブロック長を周波数領域等化範囲とした第１の周波数領域等化を行うとともに、
そのブロックの後端部分に配置された他方の第２データに対しては、前記一方の第２データ直後の第１データの先端からそのブロックの後端までの区間、または、ブロック長の２分の１の区間を周波数領域等化範囲とした第２の周波数領域等化を行う等化手段と、
周波数領域等化後の互いに同一の第２データを合成する合成手段と、
を具備する無線受信装置。
【請求項８】
無線送信装置におけるデータ配置方法であって、
１ブロックに第１データおよび第１データより重要度が高い第２データを配置する際に、１ブロック内において、第２データをブロックの中央部分に配置する、
データ配置方法。
【手続補正２】
【補正対象書類名】明細書
【補正対象項目名】全文
【補正方法】変更
【補正の内容】
【発明の詳細な説明】
【技術分野】
【０００１】
本発明は、無線送信装置、無線受信装置およびデータ配置方法に関する。
【背景技術】
【０００２】
次世代の移動通信システムへ向けて１００Mbpsを超えるデータレートを実現すべく、高速パケット伝送に適した無線伝送方式について様々な検討が行われている。このような高速伝送のためには使用周波数帯域の広帯域化が必要であり、１００MHz程度の帯域幅を用いることが検討されている。
【０００３】
このような広帯域伝送を移動体通信で行うと、通信チャネルは遅延時間が互いに異なる複数のパスからなる周波数選択性チャネルになることが知られている。よって、移動通信における広帯域伝送では、先行するシンボルが後続のシンボルに対して干渉する符号間干渉（ＩＳＩ：InterSymbolInterference）が発生してビット誤り率（ＢＥＲ：Bit Error Rate）特性が劣化する。また、周波数選択性チャネルは、周波数帯域内でチャネル伝達関数が変動するチャネルであるため、このようなチャネルを伝搬して受信された信号のスペクトルは歪んでしまう。
【０００４】
ＩＳＩの影響を除去してＢＥＲ特性を改善するための技術として、等化技術がある。中でも、時間領域等化技術として最尤系列推定（ＭＬＳＥ：Maximum Likelihood Sequence Estimation）が知られている。しかし、ＭＬＳＥでは、パス数の増加に伴い等化器の構成が非常に複雑となり、等化に要する計算量も指数関数的に増大してしまう。そこで、最近、等化器の構成がパス数に依存しない等化技術として、周波数領域等化（ＦＤＥ：Frequency Domain Equalization）が注目されている（例えば、非特許文献１参照）。
【０００５】
ＦＤＥでは、受信信号ブロックを高速フーリエ変換（ＦＦＴ：Fast Fourier Transform）によって直交周波数成分に分解し、各周波数成分に対しチャネル伝達関数の逆数に近似した等化重みを乗算した後、逆高速フーリエ変換（ＩＦＦＴ：Inverse Fast Fourier Transform）によって時間領域信号に変換する。このＦＤＥにより、受信信号のスペクトルの歪みを補償することができ、その結果、ＩＳＩが低減されてＢＥＲ特性が改善される。また、等化重みとしては、等化後の周波数成分と送信信号成分との平均二乗誤差を最小とする最小平均二乗誤差（ＭＭＳＥ：Minimum Mean Square Error）重みが、最も優れたＢＥＲ特性を与える。
【０００６】
上記非特許文献１記載の技術では、受信信号がＦＦＴブロック長の繰り返し信号として扱える必要があるため、送信側ではシンボルブロックの後尾部分と同じ信号をシンボルブロックの先頭に付加してサイクリック・プリフィクス（ＣＰ：Cyclic Prefix）を設ける。また、ＣＰを設けることにより、遅延波の遅延時間がＣＰの時間長（以下「ＣＰ長」という）以内に収まる限り、ＩＳＩを防止することができる。なお、ＣＰはガードインターバル（ＧＩ：Guard Interval）と称されることもある。
【非特許文献１】D. Falconer, S. L. Ariyavistakul, A. Benyamin-Seeyar, and B. Eidson, “Frequency domain equalization for single-carrier broadband wireless systems”, IEEE Commun. Mag., vol. 40, pp.58-66, Apr. 2002.
【発明の開示】
【発明が解決しようとする課題】
【０００７】
しかしながら、遅延時間がＣＰ長を超える遅延波があるとやはりＩＳＩが発生し、ＦＤＥによりＢＥＲ特性が改善されるとはいっても、そのような遅延波がない場合に比べ、や
はりＢＥＲ特性は劣化する。特に制御チャネルのＢＥＲ特性が劣化すると、その制御チャネルの情報を用いて受信処理が行われるデータチャネルのＢＥＲ特性も同時に劣化してしまうため、データチャネル以上に制御チャネルでのＩＳＩ防止対策が重要となる。
【０００８】
本発明の目的は、かかる点に鑑みてなされたものであり、制御チャネルデータ等の重要なデータのＢＥＲ特性を良好に維持することができる無線送信装置、無線受信装置およびデータ配置方法を提供することである。
【課題を解決するための手段】
【０００９】
本発明の無線送信装置は、１ブロックに第１データおよび第１データより重要度が高い第２データを配置する配置手段と、第１データおよび第２データが配置されたブロックの先頭にそのブロックの後端部分をＣＰとして付加する付加手段と、ＣＰ付加後のブロックを送信する送信手段と、を具備し、前記配置手段は、１ブロック内において、第２データをブロックの中央部分に配置する構成を採る。
【発明の効果】
【００１０】
本発明によれば、１ブロックに第１データおよび第１データより重要度が高い第２データの双方を配置する場合に、第２データのＢＥＲ特性を良好に維持することができる。
【発明を実施するための最良の形態】
【００１１】
以下、本発明の実施の形態について、添付図面を参照して詳細に説明する。
【００１２】
（実施の形態１）
本実施の形態では、無線送信装置はＣＰを付加したシングルキャリア信号を無線受信装置へ送信し、無線受信装置はそのシングルキャリア信号に対してＦＤＥを行う。また、無線送信装置は、１ブロックに第１データおよび第１データより重要度が高い第２データの双方を配置して送信する。例えば、第１データはデータチャネルのデータであり、第２データは制御チャネルのデータである。以下、本実施の形態に係る無線送信装置および無線受信装置の構成について説明する。図１に本実施の形態に係る無線送信装置１００の構成を示し、図２に本実施の形態に係る無線受信装置２００の構成を示す。
【００１３】
図１に示す無線送信装置１００において、変調部１０１−１は、第１データ系列を変調して第１データシンボルを生成し、変調部１０１−２は、第２データ系列を変調して第２データシンボルを生成する。
【００１４】
配置部１０２は、シングルキャリア信号を構成する各ブロックに第１データシンボルおよび第２データシンボルの双方を配置する。例えば、３ＧＰＰ  ＴＲ２５.８１４記載の１０MHz帯域でのサブフレームフォーマットによれば、各ブロックのブロック長は６００シンボル長（１ブロック＝６００シンボル）である。なお、配置部１０２での配置処理の詳細は後述する。
【００１５】
ＣＰ付加部１０３は、第１データシンボルおよび第２データシンボルが配置されたブロックの先頭にそのブロックの後端部分をＣＰとして付加する。
【００１６】
無線送信部１０４は、ＣＰ付加後の各ブロックに対しＤ／Ａ変換、増幅およびアップコンバート等の無線送信処理を行ってアンテナ１０５から無線受信装置２００（図２）へ送信する。つまり、無線送信部１０４は、ＣＰを付加したシングルキャリア信号を無線受信装置２００へ送信する。
【００１７】
一方、図２に示す無線受信装置２００において、無線受信部２０２は、アンテナ２０１を介してシングルキャリア信号を受信し、このシングルキャリア信号に対してダウンコンバート、Ａ／Ｄ変換等の無線受信処理を施す。受信されるシングルキャリア信号は複数のブロックからなる。
【００１８】
ＣＰ除去部２０３は、無線受信処理後の各ブロックからＣＰを除去する。
【００１９】
ＦＦＴ部２０４は、各ブロックに対してＦＦＴを行って複数の周波数成分を得る。より詳しくは、ＦＦＴ部２０４は、各ブロックをＮポイントＦＦＴによりＮ個の直交周波数成分に分解する。これらの複数の周波数成分は、ＦＤＥ部２０５に並列に出力される。
【００２０】
ＦＤＥ部２０５は、各周波数成分にＭＭＳＥ等化重みを乗算して各周波数成分に対してＦＤＥを行う。ＦＤＥ後の各周波数成分は、ＩＦＦＴ部２０６に並列に出力される。ＦＤＥ部２０５でのＦＤＥ処理の詳細は後述する。なお、ＭＭＳＥ等化重みとしては、例えば、「武田他，“周波数選択性フェージングチャネルにおける空間・周波数領域処理を用いるDS-CDMAの伝送特性”，電子情報通信学会技術研究報告，RCS2003-33，pp.21-25，2003-05」に記載されているものを用いる。
【００２１】
ＩＦＦＴ部２０６は、ＦＤＥ後の各周波数成分に対してＩＦＦＴを行ってＦＤＥ後の信号系列を得る。より詳しくは、ＩＦＦＴ部２０６は、ＮポイントＩＦＦＴにより、ＦＤＥ後の各周波数成分をＮシンボルの信号系列に変換する。Ｎシンボルの信号系列からなるブロックは、分離部２０７に出力される。
【００２２】
分離部２０７は、ＦＤＥ後の各ブロックを、第１データシンボルと第２データシンボルとに分離する。第１データシンボルは復調部２０８−１に入力され、第２データシンボルは復調部２０８−２に入力される。
【００２３】
復調部２０８−１は、第１データシンボルを復調して第１データ系列を得る。また、  復調部２０８−２は、第２データシンボルを復調して第２データ系列を得る。
【００２４】
次いで、無線送信装置１００の配置部１０２での配置処理の詳細について説明する。
【００２５】
本発明者らが行った計算機シミュレーションによれば、シングルキャリア伝送において遅延時間がＣＰ長を超える遅延波がある場合、１ブロック内におけるＦＤＥ後のＳＩＮＲ特性は図３に示すようになる。このシミュレーション結果より、シングルキャリア伝送において遅延時間がＣＰ長を超える遅延波がある場合、１ブロック内において各シンボルのＳＩＮＲは相違し、ブロックの両端部分にあるシンボルではＩＳＩによるＳＩＮＲの劣化が大きく、ブロックの中央部分にあるシンボルではＩＳＩによるＳＩＮＲの劣化が小さいことが分かる。これは、ＯＦＤＭ（Orthogonal Frequency Division Multiplexing）等のマルチキャリア伝送では、複数のシンボルが周波数軸方向に配置されるため、ＦＤＥ後の各シンボルはＩＳＩの影響をランダムに受けるのに対し、本実施の形態のようなシングルキャリア伝送では、複数のシンボルが時間軸方向に配置されるため、ブロックの両端部分と中央部分とでＩＳＩの影響の大きさが異なることによるものである。
【００２６】
そこで、本実施の形態では、配置部１０２は、１ブロック内において、第１データをブロックの両端部分に配置し、第１データより重要度が高い第２データをブロックの中央部分に配置する。換言すれば、配置部１０２は、１ブロック内において、受信品質が一定に保たれる部分に第２データを配置し、その一定部分より受信品質が徐々に低下する部分に第１データを配置する。これにより、シングルキャリア伝送において遅延時間がＣＰ長を超える遅延波がある場合でも、第２データに対するＩＳＩの影響を小さくすることができ、第２データの受信品質の劣化を抑えて第２データのＢＥＲ特性を良好に維持することができる。
【００２７】
ここで、ＰＡ，ＰＢ，ＶＡ，ＴＵの各パスモデルにおいては、「遅延波の最大遅延時間−ＣＰ長」分のシンボル長がそれぞれ両端部分に相当し、１ブロック長の両端からそれぞれ「遅延波の最大遅延時間−ＣＰ長」分のシンボル長を除いた部分が中央部分に相当する。例えば、上記３ＧＰＰ  ＴＲ２５.８１４記載の１０MHz帯域でのサブフレームフォーマットにおいてＴＵモデルを想定した場合は、図３に示すように、１ブロック＝６００シンボルのうち、両端部分の各１３シンボルが「遅延波の最大遅延時間−ＣＰ長」分のシンボルに相当し、残りの５７４シンボル長が中央部分に相当する。
【００２８】
なお、上記中央部分でも両端部分に近い箇所では、ＩＳＩの影響をわずかに受けることがある。よって、配置部１０２は、第２データを、１ブロック内において、ブロックの真ん中（図３では、両端から各々３００シンボルの箇所）から両端に向かって順に配置していくのが好ましい。
【００２９】
以下、第１データとしてＳＤＣＨ（Shared Data CHannel）データを、第２データとしてＳＣＣＨ（Shared Control CHannel）データを一例に挙げて説明する。
【００３０】
ＳＣＣＨデータは、ＳＤＣＨ復調用の制御情報であるため、ＳＤＣＨデータよりも高品質が要求される、より重要なデータである。
【００３１】
そこで、無線送信装置１００の配置部１０２は、図４に示すように、１ブロック内において、ＳＣＣＨデータを中央部分に配置するとともに、ＳＤＣＨデータを両端部分に配置する。なお、後方のＳＤＣＨデータの後端の一部がＣＰとしてブロックの先頭に付加される。
【００３２】
これに対し、無線受信装置２００のＦＤＥ部２０５は、図５に示すように、ブロックの中央部分に配置されたＳＣＣＨデータに対し、１ブロック長をＦＤＥ範囲としたＦＤＥを行う。
【００３３】
このように、本実施の形態によれば、１ブロック内において、第１データをブロックの
両端部分に配置し、第１データより重要度が高い第２データをブロックの中央部分に配置するため、シングルキャリア伝送において遅延時間がＣＰ長を超える遅延波がある場合でも、第２データのＢＥＲ特性を良好に維持することができる。
【００３４】
（実施の形態２）
本実施の形態は、レピティション技術を用い、レピティションにより生成した互いに同一の第２データのうち、一方をブロックの中央部分に配置するとともに、他方をそのブロックの後端部分に配置する。
【００３５】
ここで、レピティション技術とは、あるシンボルを複製（レピティション）して複数の同一シンボルを生成し、それら複数の同一シンボルを互いに異なる時刻に割り当てて送信する技術であり、受信側では、それらの同一シンボルを合成することで時間ダイバーシチゲインを得ることができる。
【００３６】
図６に本実施の形態に係る無線送信装置３００の構成を示し、図７に本実施の形態に係る無線受信装置４００の構成を示す。図６，図７において、実施の形態１（図１，図２）と同一の構成部分には同一符号を付し、説明を省略する。
【００３７】
図６に示す無線送信装置３００において、レピティション部３０１は、変調部１０１−２から入力される第２データシンボルを複製（レピティション）して互いに同一の複数の第２データシンボルを生成し、配置部１０２に出力する。なお、この複数の同一データシンボルを一単位としてレピティション単位という。
【００３８】
一方、図７に示す無線受信装置４００において、合成部４０１は、分離部２０７から入力される第２データシンボルをレピティション単位で合成して復調部２０８−２に出力する。
【００３９】
以下、上記同様、第１データとしてＳＤＣＨデータを、第２データとしてＳＣＣＨデータを一例に挙げて、本実施の形態に係る配置部１０２、ＦＤＥ部２０５および合成部４０１にて行われる処理について説明する。なお、本実施の形態では、レピティション数をＲＦ（Repetition Factor）＝２として説明する。つまり、互いに同一の２つのＳＣＣＨデータを１ブロックに配置する場合について説明する。
【００４０】
無線送信装置３００の配置部１０２は、図８に示すように、１ブロック内において、一方のＳＣＣＨデータを中央部分に配置するとともに、他方のＳＣＣＨデータを後端部分に配置する。また、配置部１０２は、残りの部分にＳＤＣＨデータを配置する。なお、ブロック後端に配置されたＳＣＣＨデータの後端の一部がＣＰとしてブロックの先頭に付加される。
【００４１】
これに対し、無線受信装置４００のＦＤＥ部２０５は、図９に示すように、ブロックの中央部分に配置された一方のＳＣＣＨデータに対しては、１ブロック長をＦＤＥ範囲としたＦＤＥを行う。一方、ブロックの後端部分に配置された他方のＳＣＣＨデータに対しては、ＦＤＥ部２０５は、ブロックの中央部分に配置された一方のＳＣＣＨデータをＣＰと見なし、図９に示すように、その一方のＳＣＣＨデータ直後のＳＤＣＨデータの先端からブロックの後端までの区間をＦＤＥ範囲としたＦＤＥを行う。つまり、ＦＤＥ部２０５は、ブロックの後端部分に配置されたＳＣＣＨデータに対しては、ブロックの中央部分に配置されたＳＣＣＨデータよりもＦＤＥ範囲を小さくしたＦＤＥを行う。そして、合成部４０１は、ＦＤＥ後の互いに同一の２つのＳＣＣＨデータを合成して、ＳＣＣＨデータの受信品質を高める。なお、ＣＰ部分はＳＣＣＨデータの一部であるため、合成部４０１は、２つのＳＣＣＨデータに、さらにＣＰ部分を合成してもよい。このように、ＣＰ部分を合
成することで、さらにＳＣＣＨデータの受信品質を高めることができる。
【００４２】
このように、本実施の形態によれば、ブロックの中央部分に配置された第２データに対するＩＳＩの影響を小さくすることができ、さらに、ＦＤＥ後の互いに同一の第２データを合成することで第２データの受信品質を高めることができる。また、ブロックの後端部分に配置された第２データに対しては、ブロックの中央部分に配置された同一の第２データをＣＰと見なしてＦＤＥ範囲を小さくしたＦＤＥを行うことができるため、その第２データに対する時間フェージングの影響を小さくすることができる。
【００４３】
（実施の形態３）
本実施の形態は、一方の第２データをブロックの中央部分に配置する際に、その第２データの後端を１ブロック長の２分の１の箇所に揃えて配置する点において実施の形態２と相違する。
【００４４】
以下、実施の形態２同様、第１データとしてＳＤＣＨデータを、第２データとしてＳＣＣＨデータを一例に挙げて説明する。また、実施の形態２同様、ＲＦ＝２として説明する。
【００４５】
無線送信装置３００の配置部１０２は、図１０に示すように、１ブロック内において、一方のＳＣＣＨデータを中央部分に配置する際に、そのＳＣＣＨデータの後端を１ブロック長（Ｔ）の２分の１（Ｔ／２）の箇所に揃えて配置する。その他は、実施の形態２と同様である。
【００４６】
これに対し、無線受信装置４００のＦＤＥ部２０５は、図１１に示すように、ブロックの中央部分に配置された一方のＳＣＣＨデータに対しては、１ブロック長（Ｔ）をＦＤＥ範囲としたＦＤＥを行う点では実施の形態３と同様だが、ブロックの後端部分に配置された他方のＳＣＣＨデータに対しては、１ブロック長（Ｔ）の２分の１の区間（Ｔ／２区間）をＦＤＥ範囲としたＦＤＥを行う点において実施の形態３と異なる。その他は、実施の形態２と同様である。
【００４７】
このように、本実施の形態によれば、ＦＤＥ範囲を１ブロック長ＴおよびＴ／２区間とすることで、ＦＤＥ範囲を２のべき乗のサイズに揃えることができるため、ブロック後端に配置された第２データに対してもＦＦＴおよびＩＦＦＴを行うことが可能となる。よって、ブロック後端に配置された第２データに対するＦＤＥ処理をより高速に行うことができる。
【００４８】
なお、上記の例では、ＲＦ＝２としたが、ＲＦは３以上であってもよい。特に、ＦＤＥ範囲を２のべき乗のサイズに揃えるために、ＲＦも２のべき乗とすることが好ましい。
【００４９】
例えば、ＲＦ＝４とした場合は、配置部１０２は、図１２に示すように、１ブロック内において、図１０に示す配置に加え、さらに、ＳＣＣＨデータの後端を１ブロック長（Ｔ）の４分の１（Ｔ／４）および４分の３（３Ｔ／４）の箇所に揃えて各ＳＣＣＨデータを配置する。
【００５０】
これに対し、ＦＤＥ部２０５は、図１３に示すように、まず、１番目と３番目のＳＣＣＨデータに対して、１ブロック長（Ｔ）の２分の１の区間（Ｔ／２区間）をＦＤＥ範囲としたＦＤＥを行い、次に、２番目と４番目のＳＣＣＨデータに対して、１ブロック長（Ｔ）の４分の１の区間（Ｔ／４区間）をＦＤＥ範囲としたＦＤＥを行う。
【００５１】
このように、ＲＦを大きくすることで、合成されるＳＣＣＨデータの数も増えるため、
ＳＣＣＨデータの受信品質をさらに高めることができる。
【００５２】
（実施の形態４）
本実施の形態は、レピティションにより互いに同一の第２データを生成する点において実施の形態２と同様であり、実施の形態１のような配置で第２データを配置するブロックを複数ブロック毎に生成する点において実施の形態２と相違する。
【００５３】
以下、実施の形態２同様、第１データとしてＳＤＣＨデータを、第２データとしてＳＣＣＨデータを一例に挙げて説明する。また、実施の形態２同様、ＲＦ＝２として説明する。
【００５４】
無線送信装置３００の配置部１０２は、図１４に示すように、ブロック＃１〜＃４のうち、ブロック＃１，＃３に対して実施の形態１のような配置で互いに同一のＳＣＣＨデータを配置し、ブロック＃２，＃４にはＳＣＣＨデータを配置しない。つまり、配置部１０２は、互いに同一のそれぞれのＳＣＣＨデータを、互いに隣接しないそれぞれのブロック＃１，＃３の中央部分に配置する。これにより、ブロックの中央部分にＳＣＣＨデータが配置されたブロックが２ブロック毎に生成され、送信される。
【００５５】
これに対し、無線受信装置４００のＦＤＥ部２０５は、図１５に示すように、ブロック＃１，＃３の中央部分に配置されたＳＣＣＨデータに対してそれぞれ、１ブロック長をＦＤＥ範囲としたＦＤＥを行う。そして、合成部４０１は、ＦＤＥ後の互いに同一の２つのＳＣＣＨデータを合成して、ＳＣＣＨデータの受信品質を高める。
【００５６】
このように、本実施の形態によれば、互いに同一の第２データが時間的に離れたブロックに配置されるため、それらの第２データを合成することにより時間ダイバーシチゲインを得て、第２データの受信品質を高めることができる。
【００５７】
（実施の形態５）
本実施の形態は、レピティションにより互いに同一の第２データを生成する点において実施の形態２と同様であり、連続するそれぞれのブロックの後端部分に第２データを配置し、それら連続するブロックを１単位としてＦＤＥを行う点において実施の形態２と相違する。
【００５８】
以下、実施の形態２同様、第１データとしてＳＤＣＨデータを、第２データとしてＳＣＣＨデータを一例に挙げて説明する。また、実施の形態２同様、ＲＦ＝２として説明する。
【００５９】
無線送信装置３００の配置部１０２は、図１６に示すように、ブロック＃１〜＃４のうち、連続するブロック＃１，＃２それぞれの後端部分に互いに同一のＳＣＣＨデータを配置する。
【００６０】
ここで、ブロック＃１に配置されたＳＣＣＨデータはブロック＃２に配置されたＳＣＣＨデータのＣＰと見なすことができるため、ブロック＃２にさらにＣＰを付加する必要がない。そこで、本実施の形態では、ブロック＃２にはＣＰを付加しない。このようにしてＣＰの数を減らすことで、その減らした分だけ別のデータを送信して伝送効率を高めることや、伝送効率を保ったまま、その減らした分だけ別のＣＰの時間長を長くして遅延波に対する耐性を高めることが可能である。そこで、本実施の形態では、ブロック＃２の後端に配置されたＳＣＣＨデータの後端の一部をブロック＃１の先頭にＣＰとして付加する。さらに、本実施の形態では、１ブロック単位で付加するＣＰの２倍の時間長のＣＰをブロック＃１の先頭に付加する。
【００６１】
これに対し、無線受信装置４００のＦＤＥ部２０５は、図１７に示すように、ブロック＃１の後端部分に配置されたＳＣＣＨデータに対しては、ブロック＃１，＃２を１単位としてＦＤＥを行う。つまり、ＦＤＥ部２０５は、ブロック＃１の後端部分に配置されたＳＣＣＨデータに対しては、１ブロック長の２倍の長さ（２ブロック長）をＦＤＥ範囲としたＦＤＥを行う。また、ＦＤＥ部２０５は、ブロック＃２の後端部分に配置されたＳＣＣＨデータに対しては、１ブロック長をＦＤＥ範囲としたＦＤＥを行う。そして、合成部４０１は、ＦＤＥ後の互いに同一の２つのＳＣＣＨデータを合成して、ＳＣＣＨデータの受信品質を高める。
【００６２】
このように、本実施の形態によれば、伝送効率を保ったままＣＰ長をより長くすることができるため、伝送効率を低下させずに遅延波に対する耐性を高めることができる。
【００６３】
以上、本発明の実施の形態について説明した。
【００６４】
なお、Ｔｕｒｂｏ符号やＬＤＰＣ符号等の組織符号を用いた誤り訂正符号化が行われる場合は、送信ビットそのものであるシステマチックビットと、冗長ビットであるパリティビットとが生成される。システマチックビットに誤りが発生すると著しくＢＥＲ特性が劣化するが、パリティビットのうちいくつかに誤りが発生しても所要のＢＥＲ特性を維持することができる。つまり、システマチックビットは、パリティビットよりも重要度が高いビットと言える。そこで、上記各実施の形態においては、パリティビットからなるデータを第１データとし、システマチックビットからなるデータを第２データとしてもよい。
【００６５】
また、チャネル推定、パスサーチ等に利用されるパイロットの受信品質が低下すると、チャネル推定精度、パスサーチ精度が劣化し、その劣化に伴ってその他のデータすべての復調精度が劣化してしまう。つまり、パイロットは、その他のデータよりも重要度が高いと言える。そこで、上記各実施の形態においては、パイロットを第１データとし、パイロット以外のデータを第２データとしてもよい。
【００６６】
また、本発明はＭＭＳＥ−ＦＤＥに限らず、ＺＦ−ＦＤＥ等、他のＦＤＥに対しても同様に適用することができる。
【００６７】
また、上記各実施の形態に係る無線送信装置や無線受信装置を、移動体通信システムにおいて使用される無線通信移動局装置や無線通信基地局装置に備え、無線通信移動局装置や無線通信基地局装置が、１ブロック内において、第１データより重要度が高い第２データをブロックの中央部分に配置して送信することもできる。また、無線通信移動局装置はUE、無線通信基地局装置はNode Bと表されることがある。
【００６８】
また、上記各実施の形態では、本発明をハードウェアで構成する場合を例にとって説明したが、本発明はソフトウェアで実現することも可能である。
【００６９】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【００７０】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【００７１】
さらには、半導体技術の進歩または派生する別技術によりＬＳＩに置き換わる集積回路化の技術が登場すれば、当然、その技術を用いて機能ブロックの集積化を行ってもよい。バイオ技術の適応等が可能性としてありえる。
【００７２】
本明細書は、２００５年９月１６日出願の特願２００５−２７０４２３に基づくものである。この内容はすべてここに含めておく。
【産業上の利用可能性】
【００７３】
本発明は、移動体通信システム等に適用することができる。
【図面の簡単な説明】
【００７４】
【図１】本発明の実施の形態１に係る無線送信装置のブロック構成図
【図２】本発明の実施の形態１に係る無線受信装置のブロック構成図
【図３】本発明の実施の形態１に係る計算機シミュレーション結果
【図４】本発明の実施の形態１に係るデータ配置例
【図５】本発明の実施の形態１に係るＦＤＥ例
【図６】本発明の実施の形態２に係る無線送信装置のブロック構成図
【図７】本発明の実施の形態２に係る無線受信装置のブロック構成図
【図８】本発明の実施の形態２に係るデータ配置例
【図９】本発明の実施の形態２に係るＦＤＥ例
【図１０】本発明の実施の形態３に係るデータ配置例１
【図１１】本発明の実施の形態３に係るＦＤＥ例１
【図１２】本発明の実施の形態３に係るデータ配置例２
【図１３】本発明の実施の形態３に係るＦＤＥ例２
【図１４】本発明の実施の形態４に係るデータ配置例
【図１５】本発明の実施の形態４に係るＦＤＥ例
【図１６】本発明の実施の形態５に係るデータ配置例
【図１７】本発明の実施の形態５に係るＦＤＥ例
【手続補正３】
【補正対象書類名】図面
【補正対象項目名】全図
【補正方法】変更
【補正の内容】
【図１】
2007032492.tif 000019
【図２】
2007032492.tif 000020
【図３】
2007032492.tif 000021
【図４】
2007032492.tif 000022
【図５】
2007032492.tif 000023
【図６】
2007032492.tif 000024
【図７】
2007032492.tif 000025
【図８】
2007032492.tif 000026
【図９】
2007032492.tif 000027
【図１０】
2007032492.tif 000028
【図１１】
2007032492.tif 000029
【図１２】
2007032492.tif 000030
【図１３】
2007032492.tif 000031
【図１４】
2007032492.tif 000032
【図１５】
2007032492.tif 000033
【図１６】
2007032492.tif 000034
【図１７】
2007032492.tif 000035
【国際調査報告】
2007032492.tif 000036
2007032492.tif 000037
2007032492.tif 000038